(57)【特許請求の範囲】
【請求項１】
居住用空間及びサニタリー用空間を備え、外部と遮蔽体にて区画された換気対象域を換気する換気装置であって、
外部から導入して前記換気対象域に給気する外気と、前記換気対象域から外部に排気する域内気とを熱交換する熱交換器が設けられ、
前記サニタリー用空間が複数備えられ、それら複数のサニタリー用空間のうち、一部のサニタリー用空間には、そのサニタリー用空間の空調を行うサニタリー用の空調装置が設けられ、
前記サニタリー用の空調装置が、域内気の取り入れ部としての前記複数のサニタリー用空間と連通する連通室を備えて構成され、
前記遮蔽体に開口した吸気口と前記熱交換器とを外気導入のために接続する吸気ダクト、前記遮蔽体に開口した域内気排出用の排気口と前記熱交換器とを熱交換済みの域内気を排出するために接続する排気ダクト、前記熱交換器と前記居住用空間とを熱交換済みの外気を給気するために接続する給気ダクト、及び、前記連通室と前記熱交換器とを接続する集気用ダクトが設けられ、
前記居住空間の域内気が、前記サニタリー用区間に流動可能に構成され、
前記複数のサニタリー用空間から取り入れた域内気と前記吸気口から導入された外気とを熱交換しながら、前記換気対象域を換気するように構成されている換気装置。
【請求項２】
前記集気用ダクトを通して前記熱交換器に供給される前記域内気を、前記熱交換器を迂回して前記排気ダクトに流動させるバイパス路が設けられ、
前記域内気が前記熱交換器に供給される熱交換状態と、前記バイパス路を通して前記排気ダクトに供給されるバイパス状態とに前記域内気の通流状態を切り換え自在な流路切換手段が設けられている請求項１記載の換気装置。
【請求項３】
前記熱交換器、並びに、前記吸気ダクトが接続される吸気ダクト接続口、前記排気ダクトが接続される排気ダクト接続口、前記給気ダクトが接続される給気ダクト接続口、及び、前記集気用ダクトが接続される集気ダクト接続口の夫々を備える熱交換ユニットが設けられ、
前記バイパス路及び前記流路切換手段が、前記熱交換ユニットに一体的に設けられている請求項２記載の換気装置。
【請求項４】
前記熱交換ユニットが、それの異なる位置に前記集気用ダクトを接続可能に構成されている請求項３記載の換気装置。
【請求項５】
前記熱交換ユニットが、それの異なる位置に設けたバイパスユニット接続口用の開口に付け替え可能なバイパスユニットを備えて構成され、
前記バイパスユニットが、前記バイパス路及び前記流路切換手段を備えて構成され、
前記集気用ダクトが、前記バイパスユニットに接続可能に構成され、
前記バイパスユニット接続口用の開口が、前記集気用ダクトからの域内気を前記熱交換器に供給させるための熱交換器接続口と、前記交換器を迂回して前記集気用ダクトからの域内気を前記排気ダクトに流動させるためのバイパス通路接続口とから構成され、
前記流路切換手段が前記熱交換状態に切換えられると、前記集気用ダクトからの域内気が前記熱交換器接続口に供給され、前記流路切換手段が前記バイパス状態に切換えられると、前記集気用ダクトからの域内気が前記バイパス路を通流して前記バイパス通路接続口に供給されるように構成されている請求項４記載の換気装置。
【請求項６】
前記域内気の通流状態を前記熱交換状態とすべきか前記バイパス状態とすべきかを判別するために予め設定された判別条件に基づいて、前記通流状態を判別する通流状態判別手段と、
この通流状態判別手段の判別結果に基づいて、自動的に前記通流状態を切り換えるように、前記流路切換手段を制御する制御手段とが設けられている請求項２〜５のいずれか１項に記載の換気装置。
【発明の詳細な説明】
【０００１】
【発明の属する技術分野】
本発明は、居住用空間及びサニタリー用空間を備え、外部と遮蔽体にて区画された換気対象域を換気する換気装置に関する。
【０００２】
【従来の技術】
例えば、マンション等の集合住宅の場合においては、図１９に示すように、居住用空間としての複数の居室ＬＲと、サニタリー用空間としての浴室ＢＲ、脱衣室ＤＲ、トイレＴＲ等を備えて、周壁や窓等の遮蔽体にて外部と区画された換気対象域としての住宅内部空間を備えている。そして、従来では、同図に示すように、住宅内部空間の換気を行う換気装置として、次のように構成されたものがあった。
【０００３】
即ち、外部から導入して居住用空間に給気する外気と、居住用空間から外部に排気する域内気とを熱交換する全熱交換器３０が、例えば廊下の天井部に設置される状態で設けられて、遮蔽体としての玄関側の壁部３２に開口した吸気口３３と熱交換器３０とを外気導入のために接続する吸気ダクト３４、玄関側の壁部３２に開口した域内気排出用の排気口３５と熱交換器３０とを熱交換済みの域内気を排出するために接続する排気ダクト３６、及び、熱交換器３０と各居室ＬＲとを熱交換済みの外気を分配給気するために接続する複数の給気ダクト４４が夫々設けられ、熱交換器３０に備えられるグリル板から域内気を直接吸気する構成となっている。
そして、吸気ダクト３４を通して吸気口３３から外気を吸気するとともに、熱交換器３０にて熱交換した後に、給気ダクト４４を通して前記各居室ＬＲに供給するように通風させる給気用ファン６０と、熱交換器３０のグリル板から吸気した室内気を熱交換した後に、排気ダクト３６を通して排気口３５から外部に排気させるように通風させる排気用ファン６１とが備えられる構成となっている。
【０００４】
従って、居住用空間の室内気を外部に排気するとともに、外気を内部に給気するようにして居住用空間の換気を行うようにしながら、室内気と外気との間で全熱（顕熱及び潜熱）を熱交換することで、例えば、冬季においては室内気が保有する熱エネルギーを回収して外気を余熱すること等により、熱損失を少なくさせる状態で換気を行えるようにしている。
【０００５】
一方、このような換気構成に加えて、最近では、浴室やトイレ等のサニタリー用空間の室内気を換気するようにした空調設備が備えられる場合がある。尚、このような空調設備としては、浴室を暖房しながら室内の一部の空気を排気させる浴室乾燥運転や、浴室内に洗濯物等の衣類を吊り下げている状態で浴室を暖房しながら室内の一部の空気を排気させる衣類乾燥運転等も行えるようにした浴室暖房乾燥機を備えたものもあり、以下、このような空調設備をサニタリー用の空調設備という。
そして、従来では、図１９に示すように、上述したようなサニタリー用の空調設備が浴室ＢＲの天井部に備えられて、浴室ＢＲの室内気を当該装置のグリル板から直接吸気するとともに、吸込み用ダクト２０を介してトイレＴＲや脱衣室ＤＲの室内気を吸気して、そのように吸気した室内気を専用の排気ダクト６２を通して、前記域内気排出用の排気口３５とは別に壁部３２に開口形成された換気用排気口６３から外部に排気させるように構成されていた。
【０００６】
このような構成は、居住用空間に比べて湿気が多い浴室や、臭いが発生するトイレ等の居住用空間とは区画された空間となるサニタリー用空間の室内気をも確実に換気するようにして、例えば、壁や窓の気密性を高めた建物であっても、確実に室内空間全体の換気を行うことができるようにしたものである。
【０００７】
しかし、上記従来構成においては、建物の壁部に、外気導入用の吸気口と居住用空間の域内気を排出するための排気口とは別にサニタリー用空間の域内気を排出するための排気口を形成しなければならず、しかも、前記空調装置と換気用排気口とを接続する専用の長い排気ダクトも必要で、それだけ施工の手間が大であり、設置作業が煩わしいものとなる不利があった。
特に、上記したような空調設備を後付けで設置するような場合においては、建物の壁に対する開口形成工事や排気ダクトの配管工事等の施工のための工事が難しく、空調設備の設置作業が更に煩わしいものとなる。
【０００８】
そこで、上述の不利を解消すべく、居住用空間と熱交換器を接続する居住域内気用ダクトと、サニタリー用空間と熱交換器を接続するサニタリー域内気用ダクトとを設けて、居住用空間からの域内気を居住域内気用ダクトを通して熱交換器に供給するとともに、サニタリー用空間からの域内気をサニタリー域内気用ダクトを通して熱交換器に供給し、居住用空間からの域内気及びサニタリー用空間からの域内気を排気ダクトを通して遮蔽体に開口した域内気排出用の排気口から外部に排気させて、居住用空間の域内気を排出するための排気ダクト及び排気口と、サニタリー用空間の域内気を排出するための排気ダクト及び排気口との兼用化を図り、煩わしい施工の手間を少なくさせて、設置作業の容易化を図っている（例えば、特開２０００−７４４４５号公報）。
【０００９】
【発明が解決しようとする課題】
しかしながら、上記公報の換気装置では、居住用空間からの域内気を熱交換器に供給するための居住域内気用ダクトと、サニタリー用空間からの域内気を熱交換器に供給するためのサニタリー域内気用ダクトとを設けることによって、排気ダクト及び排気口の兼用化を図り、設置作業の容易化を図ることが可能であるが、居住域内気用ダクトに加えて、サニタリー域内気用ダクトを設置する必要があり、未だ施工の手間が大となり、設置作業が煩わしいものとなる不利があった。
【００１０】
また、上記公報の換気装置では、居住用空間からの域内気とサニタリー用空間からの域内気とが各別のダクトを通して熱交換器に供給されることになるので、それら居住用空間からの域内気及びサニタリー用空間からの域内気と、吸気ダクトを通して吸気口から吸気される外気とを熱交換するためには、居住用空間からの域内気とサニタリー用空間からの域内気とを合流させたのち、外気と熱交換させる必要があるなど、居住用空間からの域内気及びサニタリー用空間からの域内気と外気とを熱交換するための構成が複雑化する虞があった。
【００１１】
本発明はかかる点に着目してなされたものであり、その目的は、居住用空間だだけでなくサニタリー用空間も良好に換気することができるものでありながら、換気対象域と外部とを区画するための遮蔽体に形成する開口を多くしたり、長い排気用ダクトを設置する等の煩わしい施工の手間を少なくさせるとともに、居住用空間やサニタリー用空間からの域内気を熱交換器に供給するためのダクトの設置作業の容易化を図り、かつ、居住用空間からの域内気及びサニタリー用空間からの域内気と外気とを熱交換するための構成の容易化を図ることが可能となる換気装置を提供する点にある。
【００１２】
【課題を解決するための手段】
請求項１に記載の特徴構成によれば、居住用空間及びサニタリー用空間を備え、外部と遮蔽体にて区画された換気対象域を換気する換気装置において、
外部から導入して前記換気対象域に給気する外気と、前記換気対象域から外部に排気する域内気とを熱交換する熱交換器が設けられ、前記サニタリー用空間が複数備えられ、それら複数のサニタリー用空間のうち、一部のサニタリー用空間には、そのサニタリー用空間の空調を行うサニタリー用の空調装置が設けられ、
前記サニタリー用の空調装置が、域内気の取り入れ部としての前記複数のサニタリー用空間と連通する連通室を備えて構成され、
前記遮蔽体に開口した吸気口と前記熱交換器とを外気導入のために接続する吸気ダクト、前記遮蔽体に開口した域内気排出用の排気口と前記熱交換器とを熱交換済みの域内気を排出するために接続する排気ダクト、前記熱交換器と前記居住用空間とを熱交換済みの外気を給気するために接続する給気ダクト、及び、前記連通室と前記熱交換器とを接続する集気用ダクトが設けられ、
前記居住空間の域内気が、前記サニタリー用区間に流動可能に構成され、
前記複数のサニタリー用空間から取り入れた域内気と前記吸気口から導入された外気とを熱交換しながら、前記換気対象域を換気するように構成されている。
【００１３】
遮蔽体に開口した吸気口から吸気された外気は、吸気ダクトを通して熱交換器にて熱交換され、その熱交換済みの外気は給気ダクトを通して居住用空間に給気される。一方、域内気の取り入れ部としてのサニタリー用空間から取り入れた域内気は集気用ダクトを通して熱交換器にて熱交換され、その熱交換済みの域内気は排気ダクトを通して遮蔽体に開口した域内気排出用の排気口から外部に排気される。
前記熱交換器においては、吸気口から吸気されて吸気ダクトを通して供給される外気と、サニタリー用空間から取り入れ集気用ダクトを通して供給される域内気との間で熱交換が行われる。つまり、この熱交換によって外気を極力、室内温度に近づけて居住用空間に供給することができ、熱損失を少なくさせる状態で換気を行える。
【００１４】
従って、サニタリー用空間の域内気は集気用ダクトに直接取り入れられ、居住用空間の域内気は、例えばドアの隙間等を通してサニタリー用空間を経由して集気用ダクトに取り入れられることになり、換気対象域全体の域内気が外部に排気され、外気が居住空間に供給されて、居住用空間だけでなくサニタリー用空間も良好に換気することができるものとなる。
又、サニタリー用空間の域内気を排気させるための換気ファンと、居住用空間の域内気を排気させるための換気ファンとを兼用することにより、換気ファンの個数を少なくすることも可能となり、しかも、遮蔽体に開口形成されるのは、吸気口と排気口だけで済むので、居住用空間の域内気を排出するための排気口とは別にサニタリー用空間の域内気を排出するための排気口を形成する必要がなく、換気対象域と外部とを区画するための遮蔽体に形成する開口を多くしたり、長い排気用ダクトを設置する等の煩わしい施工の手間を少なくさせることが可能となる。
【００１５】
さらに、複数のサニタリー用空間からの域内気は、サニタリー用の空調装置に取り入れられて、集気用ダクトを通して熱交換器にて熱交換されることになるので、居住用空間やサニタリー用空間からの域内気を熱交換器に供給するためのダクトを集気用ダクトにて兼用することが可能となり、しかも、複数のサニタリー用空間からの域内気は、集気用ダクトを通して熱交換器に供給されるので、居住用空間からの域内気とサニタリー用空間からの域内気とを合流させたのち、外気と熱交換させるなどの構成を必要とせず、居住用空間からの域内気及びサニタリー用空間からの域内気と外気とを熱交換するための構成の容易化を図ることが可能となる。
【００１６】
以上のことをまとめると、請求項１に記載の特徴構成によれば、居住用空間だだけでなくサニタリー用空間も良好に換気することができるものでありながら、換気対象域と外部とを区画するための遮蔽体に形成する開口を多くしたり、長い排気用ダクトを設置する等の煩わしい施工の手間を少なくさせるとともに、居住用空間やサニタリー用空間からの域内気を熱交換器に供給するためのダクトの設置作業の容易化を図り、かつ、居住用空間からの域内気及びサニタリー用空間からの域内気と外気とを熱交換するための構成の容易化を図ることが可能となる換気装置を提供できるに到った。
【００１７】
請求項２に記載の特徴構成によれば、請求項１において、前記集気用ダクトを通して前記熱交換器に供給される前記域内気を、前記熱交換器を迂回して前記排気ダクトに流動させるバイパス路が設けられ、前記域内気が前記熱交換器に供給される熱交換状態と、前記バイパス路を通して前記排気ダクトに供給されるバイパス状態とに前記域内気の通流状態を切り換え自在な流路切換手段が設けられている。
【００１８】
流路切換手段により前記域内気の通流状態を前記熱交換状態に切り換えておくと、前記集気用ダクトを通して前記域内気が熱交換器に供給されて熱交換される。そして、流路切換手段により前記域内気の通流状態を前記バイパス状態に切り換えておくと、前記域内気が前記熱交換器を迂回して熱交換されることなく、バイパス路を通して排気ダクトに供給されることになる。
【００１９】
例えば、冬場等においては暖房等が行われて換気対象域全体の域内気の温度が外気温度よりも高い状態となっていることが多いと考えられ、熱交換が行われると排気される域内気の熱が回収されて居住用空間に給気される外気が余熱され、室内温度に近づいた状態で供給されることになるので、熱損失を少なくすることができる。
しかし、夏場等においては浴室乾燥運転や衣類乾燥運転をすると域内気の温度が外気温度よりも温度が高い場合がある。このような状態で上記したような熱交換が行われると、排気される高温の域内気の熱が回収されて居住用空間に給気される外気の温度が高くなることがある。その結果、冷房しているにもかかわらず外気よりも高温の空気が居住用空間に供給されることになり、熱損失が大になる不都合がある。
【００２０】
従って、例えば、熱損失が大きくなるような場合には、流路切換手段により前記域内気の通流状態を前記バイパス状態に切り換えておくことによって、熱損失が大になる不都合を回避させることが可能となり、請求項１を実施するのに好適な手段が得られる。
【００２１】
請求項３に記載の特徴構成によれば、請求項２において、前記熱交換器、並びに、前記吸気ダクトが接続される吸気ダクト接続口、前記排気ダクトが接続される排気ダクト接続口、前記給気ダクトが接続される給気ダクト接続口、及び、前記集気用ダクトが接続される集気ダクト接続口の夫々を備える熱交換ユニットが設けられ、前記バイパス路及び前記流路切換手段が、前記熱交換ユニットに一体的に設けられている。
【００２２】
従って、この装置を設置する場合には、前記熱交換ユニットを所定の設置個所に設置した後に、前記各ダクトを夫々対応する接続口に接続するだけで対応でき、前記バイパス路及び前記流路切換手段を熱交換ユニットとは別に設置する等の煩わしい作業が不要で、設置作業の手間が少ないものにでき、請求項２を実施するのに好適な手段が得られる。
【００２３】
請求項４に記載の特徴構成によれば、請求項３において、前記熱交換ユニットが、それの異なる位置に前記集気用ダクトを接続可能に構成されている。
すなわち、例えば、マンションの対称間取りなどのように、通常、住居によって間取りが異なるので、住居に応じて、サニタリー用の空調装置が、熱交換ユニットに対して、右側に位置したり、左側に位置するなど、サニタリー用の空調装置と熱交換ユニットとの位置関係が異なることになる。
したがって、サニタリー用の空調装置における連通室と熱交換ユニットとを接続する集気用ダクトを、熱交換ユニットのあるひとつの位置にしか接続できなければ、熱交換ユニットと集気用ダクトの接続作業が複雑になる虞がある。
【００２４】
しかしながら、請求項４に記載の特徴構成によれば、熱交換ユニットが、それの異なる位置に集気用ダクトを接続可能に構成されているので、熱交換ユニットとサニタリー用の空調装置との位置関係に応じて、集気用ダクトを接続する熱交換ユニットの位置を変更させることが可能となり、熱交換ユニットと集気用ダクトの接続作業の容易化を図ることが可能となる。
【００２５】
請求項５に記載の特徴構成によれば、請求項４において、前記熱交換ユニットが、それの異なる位置に設けたバイパスユニット接続口用の開口に付け替え可能なバイパスユニットを備えて構成され、
前記バイパスユニットが、前記バイパス路及び前記流路切換手段を備えて構成され、
前記集気用ダクトが、前記バイパスユニットに接続可能に構成され、
前記バイパスユニット接続口用の開口が、前記集気用ダクトからの域内気を前記熱交換器に供給させるための熱交換器接続口と、前記交換器を迂回して前記集気用ダクトからの域内気を前記排気ダクトに流動させるためのバイパス通路接続口とから構成され、
前記流路切換手段が前記熱交換状態に切換えられると、前記集気用ダクトからの域内気が前記熱交換器接続口に供給され、前記流路切換手段が前記バイパス状態に切換えられると、前記集気用ダクトからの域内気が前記バイパス路を通流して前記バイパス通路接続口に供給されるように構成されている。
【００２６】
すなわち、熱交換ユニットとサニタリー用の空調装置との位置関係に応じて、バイパス路及び流路切換手段を備えたバイパスユニットを取り付ける熱交換ユニットの位置を付け替えて、そのバイパスユニットに集気用ダクトを接続することが可能となるので、熱交換ユニットにバイパス路及び流路切換手段を複数備えなくても、バイパスユニットを熱交換ユニットの異なる位置に付け替え、そのバイパスユニットに集気用ダクトを接続するだけで、サニタリー用空間からの域内気を、熱交換器に供給したり、または、熱交換器を迂回して排気ダクトに供給させることが可能となって、コストの低減を図ることが可能となる。
【００２７】
請求項６に記載の特徴構成によれば、請求項２〜５のいずれか１項において、前記域内気の通流状態を前記熱交換状態とすべきか前記バイパス状態とすべきかを判別するために予め設定された判別条件に基づいて、前記通流状態を判別する通流状態判別手段と、この通流状態判別手段の判別結果に基づいて、自動的に前記通流状態を切り換えるように、前記流路切換手段を制御する制御手段とが設けられている。
【００２８】
前記集気用ダクトを通して前記熱交換器に供給される前記域内気の通流状態を前記熱交換状態とすべきか前記バイパス状態とすべきかを判別するための判別条件が予め設定されており、通流状態判別手段はその判別条件に基づいて、前記域内気の通流状態を判別する。
そして、制御手段がその判別結果に基づいて、自動的に通流状態を切り換えるように前記流路切換手段を制御する。即ち、前記熱交換状態とすべきであると判別されると、前記域内気が前記熱交換器に供給される熱交換状態に切り換わるように流路切換手段を制御し、前記バイパス状態とすべきであると判別されると、前記域内気が前記バイパス路を通して排気ダクトに供給されるバイパス状態に切り換わるように流路切換手段を制御する。
【００２９】
従って、前記通流状態が自動的に適正な状態に切り換わるので、人為的に切り換える構成に比べて、操作の煩わしさがなく、又、操作忘れ等に起因して不測に熱損失が大になる状態となってしまう等の不都合を未然に回避させた状態で、換気を行うことが可能となり、請求項２〜５のいずれか１項を実施するのに好適な手段が得られる。
【００３０】
【発明の実施の形態】
以下、本発明に係る換気装置について図面に基づいて説明する。
〔第１実施形態〕
この換気装置は、例えば、図１に示すように、居住用空間としての複数の居室ＬＲ、及び、サニタリー用空間として浴室ＢＲ、脱衣室ＤＲ、トイレＴＲを備えて、周壁や窓等の遮蔽体にて外部と区画された住宅内部空間を換気対象域として、その住宅内部空間の換気を行う構成となっている。
【００３１】
この換気装置においては、外部から導入して住宅内部空間に給気する外気と、住宅内部空間から外部に排気する域内気としての内部空気との間で全熱（顕熱及び潜熱）を熱交換する全熱交換器３０が設けられるとともに、浴室ＢＲ、脱衣室ＤＲ、及び、トイレＴＲの夫々の部屋の内部空間から住宅内部空間全体の空気を吸気して外部に排気して換気する機能及び浴室を暖房する機能等を備えたサニタリー用の空調装置が、浴室ＢＲの天井部に設置される状態で設けられている。
【００３２】
次に、前記サニタリー用の空調装置の構成について説明する。
図２に示すように、この空調装置は、換気用ファン１５を内蔵してその換気用ファン１５が浴室ＢＲに吸気作用するように浴室ＢＲの天井部に設けられる装置本体Ｍ、脱衣室ＤＲ及びトイレＴＲ夫々の天井部に設けられる吸込みグリル１９、換気用ファン１５が吸気作用するように吸込みグリル１９と装置本体Ｍとを接続する吸込み用ダクト２０、換気用ファン１５の吸引空気を前記全熱交換器３０に排出する中継用ダクト２２、各種制御を司る制御ユニット２３、脱衣室ＤＲ等に設けられて制御ユニット２３に各種運転情報を指令するメインリモコンＣｍ、及び、トイレＴＲに設けられるサブリモコンＣｓ等を備えて構成される。
【００３３】
装置本体Ｍは、連通室としての換気ユニットＭ１と浴室暖房ユニットＭ２とを備え、それら換気ユニットＭ１及び浴室暖房ユニットＭ２と、制御ユニット２３とを一体的に組付けて構成され、脱衣室ＤＲ、トイレＴＲ及び浴室ＢＲから空気を吸気して排気する機能に加えて、浴室ＢＲの乾燥及び暖房等を行う機能を備えている。
【００３４】
浴室暖房ユニットＭ２は、下方側が開口し、一側面に換気空気排出用の排気用連通口２を備えたケーシング１と、浴室用吸気路としての吸込み部３及び吹出し部４を備えてケーシング１の下方側を閉じるように配置されるグリル板５を備えている。
ケーシング１内部には、吸込み部３と吹出し部４とを接続する循環風路６が区画形成され、循環風路６の内部に、吸込み部３に吸気作用すると共に、吸込み空気を吹出し部４及び排気用連通口２に送るように通風作用する循環用ファン７と、循環風路６を通流する空気を加熱する熱交換器８とが設けられ、熱交換器８には、外部熱源機（図示せず）から温水を循環供給するための温水循環路９が接続され、熱交換器８への温水の供給を断続する熱動弁１０が設けられる。
【００３５】
前記換気ユニットＭ１は、一面に浴室用吸気口１２を備え、他の一面に２個の他室用吸気口１３を備え、更に他の一面に排気口１４を備えたケーシング１１内に、３個の吸気口１２，１３，１３に吸気作用すると共に、吸込み空気を排気口１４に送るように通風作用する換気用ファン１５が設けられている。
【００３６】
そして、浴室暖房ユニット用のケーシング１の排気用連通口２と換気ユニット用のケーシング１１の浴室用吸気口１２とが重なる状態で、浴室暖房ユニット用のケーシング１の側面に、換気ユニット用のケーシング１１を片持ち姿勢で取り付けることにより、換気用ファン１５が浴室用吸気口１２及び排気用連通口２を通じて循環風路６に吸気作用する状態で、換気ユニットＭ１と浴室暖房ユニットＭ２とが一体的に組付けて構成されている。
横軸の軸芯周りで揺動することによって前記排気用連通口２を開閉自在なシャッター板１７が設けられ、そのシャッタ板１７は閉姿勢で電磁石１８の吸着力によってロック保持され、ロックが解除されて換気用ファン１５による吸気作用があると、シャッタ板１７が横向き姿勢になって排気用連通口２が開状態となる。
又、浴室暖房ユニット用のケーシング１内において、吸込み部３の近傍には、吸込み部３から吸込んだ浴室ＢＲの空気の温度を検出する温度センサ２４が設けられている。
【００３７】
そして、上述のように構成した装置本体Ｍは、浴室暖房ユニット用のケーシング１の底面開口部を浴室ＢＲの天井部に形成した換気用開口部に臨ませて設置すると共に、浴室ＢＲの天井部の下方側からグリル板５を取り付ける。又、換気ユニットＭ１の各他室用吸気口１３と脱衣室ＤＲ及びトイレＴＲ夫々の吸込みグリル１９とを吸込み用ダクト２０にて接続し、換気ユニットＭ１の排気口１４と後述する全熱交換器３０とを中継用ダクト２２にて接続する。
【００３８】
例えば、シャッタ板１７を閉じた状態で熱交換器に温水を循環供給しながら循環用ファン７を通風作動させ、前記温度センサの検出情報に基づいて、温水の循環供給状態を制御して目標温度になるように浴室を暖房する暖房運転を行うことができる。
換気用ファン１５を通風作動させることで、浴室用吸気口１２、排気用連通口２及び循環風路６を通じて浴室ＢＲに吸気作用し、各他室用吸気口１３及び各吸込み用ダクト２０を通じて、脱衣室ＤＲやトイレＴＲに吸気作用して、このように集気した空気を中継用ダクト２２を通して排気する換気運転を行うことができる。
そして、浴室ＢＲ、脱衣室ＤＲ及びトイレＴＲから成るサニタリ用の空間以外の各居室ＬＲのドアには、サニタリー用空間と各居室ＬＲとの間の通風を可能にするため、アンダーカットやガラリを設けてあり、この換気運転によって、サニタリー用空間と居住用空間とを含む住宅内部空間の空気の吸気を行うようになっている。従って、各吸込み用ダクト２０や中継用ダクト２２が集気用ダクトに対応する。
【００３９】
尚、熱交換器に温水を循環供給しながら循環用ファン７を通風作動させて浴室を暖房しながら、シャッタ板１７を閉じないで換気用ファン１５を通風作動させることで、例えば、入浴終了後に浴室内部を乾燥させる浴室乾燥運転を行うことができ、又、同様の運転状態によって、浴室内に洗濯物等の衣類を吊り下げておくと、衣類乾燥運転を行うことができる。
【００４０】
次に、前記全熱交換器３０の構成について説明する。この全熱交換器３０は、図３、図５に示すように、複数の仕切板３１と、波板状に屈曲形成された流路形成板３２とが交互に積層する状態で設けられ、複数の流路形成板３２は、図５にて実線で示す第１の空気流動経路Ｌ１と、破線で示す第２の空気流動経路Ｌ２とが互いに独立する状態で形成されるように交互に向きが異なるように配置され、これらの２つの空気流動経路Ｌ１，Ｌ２を通流する空気の間で全熱の熱交換を行うように構成されている。具体的には、外部から導入して住宅内部空間に給気する外気を第１の空気流動経路Ｌ１に通流させ、且つ、住宅内部空間から外部に排気する内部空気を第２の空気流動経路Ｌ２に通流させて熱交換することによって、排気される内部空気が保有する熱エネルギーを回収して外気を極力、室内温度に近づけて居住用空間に供給することで、熱損失を少なくさせる状態で換気を行うことができるのである。
【００４１】
そして、図１及び図３に示すように、遮蔽体としての玄関側の壁部３２に開口した吸気口３３と全熱交換器３０とを外気導入のために接続する吸気ダクト３４、玄関側の壁部に開口した域内気排出用の排気口３５と全熱交換器３０とを全熱交換済みの域内気を排出するために接続する排気ダクト３６、及び、全熱交換器３０と各居室とを全熱交換済みの外気を分配給気するために接続する供給ダクト３７が夫々設けられるとともに、前記全熱交換器３０、及び、吸気ダクト３４が接続される吸気ダクト接続口３８、排気ダクト３６が接続される排気ダクト接続口３９、前記供給ダクト３７が接続される給気ダクト接続口４０、及び、前記サニタリー用の空調装置からの中継ダクト２２が接続される集気ダクト接続口４１の夫々が、一体的にユニット状態に備えられた熱交換ユニットＮＵが設けられ、この熱交換ユニットＮＵは廊下の天井部等に設置される。この熱交換ユニットＮＵには、前記吸気口３３から前記吸気ダクト３４を通して外気を導入するとともに、全熱交換器３０にて熱交換された後の外気を供給ダクト３７を通して前記各居室ＬＲに給気するように通風させる給気用ファン４２が備えられている。尚、給気ダクト接続口４０は一個であるが、供給ダクト３７はその途中部に備えた分配供給装置４３により複数本（図に示す例では４本）の分岐ダクト４４に分配して、複数箇所（４箇所）の居室ＬＲに給気するようになっている。従って、供給ダクト３７及び分岐ダクト４４が給気ダクトに対応する。
【００４２】
従って、給気用ファン４２による通風作動によって、吸気口３３から吸気ダクト３４を通して外気が導入され、全熱交換器３０にて熱交換された後に、前記各居室ＬＲに給気されることになる。一方、前記サニタリー用の空調装置における換気用ファン１５による通風作動によって、浴室ＢＲ、脱衣室ＤＲ及びトイレＴＲから成るサニタリ用の空間の内部空気は勿論、上記したようなアンダーカットやガラリを通して、サニタリ用空間以外の各居室ＬＲの内部空気をも合わせて集気して、中継用ダクト２２、全熱交換器３０、及び、排気ダクト３６を通して外部に排気することになる。このとき、全熱交換器３０によって、外部から導入して各居室ＬＲに給気する外気と、サニタリー用空間から外部に排気する内部空気との間で熱交換するのである。
【００４３】
前記中継用ダクト２２を通して全熱交換器３０に供給される内部空気を、全熱交換器３０を迂回して排気ダクト３６に流動させるバイパス路４５と、前記内部空気が全熱交換器３０に供給される熱交換状態とバイパス路を通して排気ダクトに供給するバイパス状態とに前記内部空気の通流状態を切り換え自在な流路切換手段ＲＫとが、前記熱交換ユニットＮＵに一体的に設けられている。
つまり、図３に示すように、前記熱交換ユニットＮＵの内部に、集気ダクト接続口４１から全熱交換器３０における第２の空気流動経路Ｌ２への排気用入口経路４６の途中からバイパス路４５が分岐形成され、このバイパス路４５の他端側は、第２の空気流動経路Ｌ２から排気ダクト３６へ至る排気用出口経路４７の途中に接続されている。
そして、排気用入口経路４６からの分岐部分に、前記バイパス路４５を閉じて集気ダクト接続口４１を通して導かれる内部空気をそのまま排気用入口経路４６を通して第２の空気流動経路Ｌ２に供給する熱交換用作用位置と、排気用入口経路４６を閉じて前記内部空気がバイパス路４５を通して全熱交換器３０を迂回して排気用出口経路４７に供給するバイパス用作用位置とにわたり姿勢切換自在な切換遮蔽板４８が設けられる。図６、図７に示すように、この切換遮蔽板４８は一端側に設けられた回動操作軸４９の軸芯周りで回動操作自在に設けられ、前記回動操作軸４９を電動モータ５０によりウォームギア減速機構５１を介して低速で熱交換用作用位置とバイパス用作用位置とにわたり回動操作させる操作機構５２が設けられている。この操作機構５２は、切替指令に基づいて電動モータ５０が切り換え動作を開始して切換遮蔽板４８がいずれかの作用位置にまで至ると、ウォームギア５１ａに設けられた接触片５３がリミットスイッチ５４に作用してリミットスイッチ５４がオンすると、電動モータ５０の作動を停止するように構成されている。前記排気用入口経路４６の内面における切換遮蔽板４８の揺動端部が接当する箇所には空気の漏れを防ぐシールパッキン５５が設けられている。
前記切換遮蔽板４８と操作機構５２等により流路切換手段ＲＫが構成されている。
【００４４】
上記流路切換手段ＲＫによる通流状態の切換操作は使用者が任意に操作して切り換える構成としてもよいが、この換気装置では、前記内部空気の通流状態を前記熱交換状態とすべきか前記バイパス状態とすべきかを判別するために予め設定された判別条件に基づいて、前記通流状態を判別する通流状態判別手段ＴＨと、この通流状態判別手段ＴＨの判別結果に基づいて、自動的に前記通流状態を切り換えるように、前記流路切換手段ＲＫを制御する制御手段Ｓとが設けられている。
【００４５】
具体的に説明すると、図３、図４に示すように、空調装置から中継用ダクト２２を通して熱交換ユニットＮＵに供給されるサニタリー用空間から外部に排気するための内部空気の温度を検出する排気温度センサ５６が前記排気用入口経路４６に設けられている。又、吸気ダクト３４を通して吸気される外気の温度を検出する給気温度センサ５７が、吸気ダクト接続口３８から全熱交換器３０における第１の空気流動経路Ｌ１の流動方向上手側箇所に至るまでの経路部分に設けられている。そして、これらの温度センサの検出情報に基づいて電動モータ５０の作動を制御するマイクロコンピュータ利用の制御装置５８が設けられている。
【００４６】
前記制御装置５８は、給気温度センサ５７の検出値が排気温度センサ５６の検出値よりも低ければ、前記内部空気の通流状態を前記熱交換状態とすべきであると判別して、前記切換遮蔽板４８を前記熱交換用作用位置に維持し、給気温度センサ５７の検出値が排気温度センサ５６の検出値よりも高ければ、前記内部空気の通流状態を前記バイパス状態とすべきであると判別して、前記切換遮蔽板４８を前記バイパス用作用位置に維持するように制御する。
又、給気温度センサ５７の検出値が排気温度センサ５６の検出値よりも低い状態から、給気温度センサ５７の検出値が排気温度センサ５６の検出値よりも高い状態に変化すると、制御装置５８は、自動的に、切換遮蔽板４８を熱交換用作用位置からバイパス用作用位置に切り換えるべく電動モータ５０を作動させてバイパス用作用位置に対応するリミットスイッチ５４がオンすると、電動モータ５０の駆動を停止させるのである。又、給気温度センサ５７の検出値が排気温度センサ５６の検出値よりも高い状態から、給気温度センサ５７の検出値が排気温度センサ５６の検出値よりも低い状態に変化すると、制御装置５８は、自動的に、切換遮蔽板４８をバイパス用作用位置から熱交換用作用位置に切り換えるべく電動モータ５０を作動させて熱交換用作用位置に対応するリミットスイッチ５４がオンすると電動モータ５０の駆動を停止させる。
【００４７】
従って、例えば夏場等において、浴室乾燥運転や衣類乾燥運転を行った場合等には、全熱交換器３０による熱交換が行われないので、排気される高温の内部空気の熱が回収されて居住用空間に給気される外気の温度がかえって高くなり、冷房しているにもかかわらず外気よりも高温の空気が居住用空間に供給されて熱損失が大になる不都合を自動的に回避できることになる。
【００４８】
前記給気温度センサ５７、排気温度センサ５６及びこれらの温度検出情報に基づく制御装置５８の通流状態の判別処理の夫々によって通流状態判別手段ＴＨが構成され、制御装置５８による電動モータ５０の動作処理により制御手段Ｓが構成される。
【００４９】
〔第２実施形態〕
この第２実施形態は、上記第１実施形態における熱交換ユニットの別実施形態であり、その別実施形態について図面に基づいて説明する。
ちなみに、その他の構成については、上記第１実施形態と同様であるので、同符号を示すなどにより、その詳細な説明は省略する。
【００５０】
前記熱交換ユニットＮＵは、それの異なる位置に付け替え可能なバイパスユニットＢＵを備えて構成され、そのバイパスユニットＢＵが、バイパス路４５及び流路切換手段ＲＫ（切換遮蔽板４８と操作機構５２等からなる）を備えて構成され、集気用ダクトとしての中継用ダクト２２が、バイパスユニットＢＵに接続可能に構成されている。
そして、熱交換ユニットＮＵが、それの異なる位置に中継用ダクト２２を接続可能に構成されている。
【００５１】
具体的に説明すると、図８〜図１２に示すように、熱交換ユニットＮＵは、矩形状のケーシング６４に、外部から外気を導入して住宅内部空間に給気するための給気用ファン４２、全熱交換器３０、住宅内部空間から内部空気を外部に排気して換気するための排気用ファン６５などが備えられ、吸気ダクト接続口３８、排気ダクト接続口３９、給気ダクト接続口４０、及び、バイパスユニットＢＵが接続されるバイパスユニット接続口用の開口６６が設けられている。
そして、バイパスユニットＢＵに、中継用ダクト２２を接続する集気ダクト接続口４１が設けられ、排気用ファン６５を通風作動させることによって、浴室用吸気口１２、排気用連通口２及び循環風路６を通じて浴室ＢＲに吸気作用し、各他室用吸気口１３及び各吸込み用ダクト２０を通じて、脱衣室ＤＲやトイレＴＲに吸気作用して、このように集気した空気を中継用ダクト２２を通して排気する換気運転を行うように構成されている。
【００５２】
ちなみに、給気ダクト接続口４０は、横に並ぶ状態で２つ設けられ、２つの給気ダクト接続口４０の夫々に供給ダクト３７が接続され、供給ダクト３７には分配供給装置４３が設けられ、外部からの外気を各居住空間ＬＲに供給するように構成されている。
【００５３】
また、サニタリー用の空調装置は、図９に示すように、連通室としての換気ユニットＭ１と浴室暖房ユニットＭ２とを備え、それら換気ユニットＭ１及び浴室暖房ユニットＭ２と、制御ユニット２３とを一体的に組付けて構成され、脱衣室ＤＲ、トイレＴＲ及び浴室ＢＲから空気を吸気して排気する機能に加えて、浴室ＢＲの乾燥及び暖房等を行う機能を備えている。
そして、この第２実施形態におけるサニタリー用の空調装置は、換気用ファン１５が設けられていないことだけが上記第１実施形態におけるサニタリー用の空調装置の構成と異なる構成であり、その他の構成については、上記第１実施形態におけるサニタリー用の空調装置と同様の構成であるので、図９において、上記第１実施形態と同符号を示す等により、サニタリー用の空調装置についての詳細な説明は省略する。
【００５４】
そして、熱交換ユニットＮＵは、矩形状のケーシング６４の短手方向に対称となるように構成され、バイパスユニット接続口用の開口６６が、矩形状のケーシング６４の短手方向において、対向する位置になるように２つ配設され、熱交換ユニットＮＵの矩形状のケーシング６４の短手方向において、対向する位置にバイパスユニットＢＵを付け替え可能に構成されている。
すなわち、バイパスユニットＢＵは、図１０の（イ）に示すように、熱交換ユニットＮＵに対して左横側方に接続するか、または、図１０の（ロ）に示すように、熱交換ユニットＮＵに対して右横側方に接続するように構成され、２つのバイパスユニット接続口用の開口６６のうち、バイパスユニットＢＵを接続しない側のバイパスユニット接続口用の開口６６には、その開口を遮蔽する遮蔽板６９が設けられている。
【００５５】
前記熱交換ユニットＮＵにおける外気及び内部空気の通流状態について説明を加える。
前記吸気ダクト接続口３８と給気ダクト接続口４０とが、矩形状のケーシング６４の長手方向において、対向する位置になるように配設され、外部から導入して住宅内部空間に給気する外気を、吸気ダクト接続口３８、給気用ファン４２、全熱交換器３０、給気ダクト接続口４０の順に通流させる外気通流路６７が形成されている。
また、外気通流路６７とは独立する状態で、住宅内部空間からの内部空気を、バイパスユニット接続口用の開口６６、全熱交換器３０、排気用ファン６５、排気ダクト接続口３９の順に通流させる内部空気通流路６８が形成されている。
【００５６】
前記バイパスユニット接続口用の開口６６は、住宅内部空間からの内部空気を、全熱交換器３０に供給させるための熱交換器接続口６６ａと、全熱交換器３０を迂回して排気用ファン６５に供給させるためのバイパス通路接続口６６ｂとから構成されている。
そして、バイパスユニットＢＵが、バイパス路４５の端部側の開口をバイパス通路接続口６６ｂに接続し、他方の開口を熱交換器接続口６６ａに接続する状態で、熱交換ユニットＮＵに取り付けられ、中継用ダクト２２を通して集気ダクト接続口４１から供給される住宅内部空間からの内部空気を、熱交換器接続口６６ａ及びバイパス通路接続口６６ｂのいずれか一方に供給するように構成されている。
【００５７】
すなわち、住宅内部空間からの内部空気は、中継用ダクト２２を通して集気ダクト接続口４１からバイパスユニットＢＵに供給されることになるが、図１３の（イ）に示すように、流路切換手段ＲＫが熱交換状態に切り換えられていると、その内部空気は、熱交換ユニットＮＵの熱交換器接続口６６ａを通して全熱交換器３０に供給されて熱交換されたのち、排気用ファン６５にて排気ダクト３６を通して排気される。
また、図１３の（ロ）に示すように、流路切換手段ＲＫがバイパス状態に切り換えられていると、内部空気は、バイパスユニットＢＵにおけるバイパス路４５を通流し、熱交換ユニットＮＵのバイパス通路接続口６６ｂを通して排気用ファン６５にて排気ダクト３６を通して排気される。
ちなみに、図１３は、図１２におけるＡ−Ａ断面図を示すものである。
【００５８】
このようにして、マンションの対称間取りなどのように、住居によって間取りが異なり、サニタリー用の空調装置の装置本体Ｍが、熱交換ユニットＮＵに対して、右側に位置したり、左側に位置するなど、サニタリー用の空調装置と熱交換ユニットとの位置関係が異なる場合でも、熱交換ユニットＮＵとサニタリー用の空調装置の装置本体Ｍとの位置関係に応じて、バイパスユニットＢＵの接続位置を付け替えて、そのバイパスユニットＢＵに中継用ダクト２２を接続することによって設置作業の容易化を図るように構成されている。
【００５９】
ちなみに、流路切換手段ＲＫによる切換について説明を加えると、この第２実施形態では、例えば、夏場等において、浴室乾燥運転や衣類乾燥運転を行っている場合等、全熱交換器３０にて熱交換を行うと、冷房している居住用空間に高温の空気を供給してしまい、給気の熱エネルギーにロスを与えてしまう場合には、流路切換手段ＲＫをバイパス状態に切り換えるように構成されている。
【００６０】
〔第３実施形態〕
この第３実施形態は、上記第２実施形態における熱交換ユニットＮＵの別実施形態を示すものであり、その別実施形態について図面に基づいて説明する。
ちなみに、その他の構成については、上記第１及び第２実施形態と同様であるので、その詳細な説明は省略する。
なお、この第３実施形態におけるサニタリー用の空調装置は、上記第２実施形態におけるサニタリー用の空調装置と同様の構成である。
【００６１】
すなわち、上記第２実施形態では、熱交換ユニットＮＵが、それの異なる位置に中継用ダクト２２を接続可能にする構成として、熱交換ユニットＮＵが、それの異なる位置に付け替え可能なバイパスユニットＢＵを備えて構成され、そのバイパスユニットＢＵが、バイパス路４５及び流路切換手段ＲＫを備えて構成されている例を示したが、この第３実施形態では、熱交換ユニットＮＵの別実施形態であり、バイパス路４５及び流路切換手段ＲＫを、熱交換ユニットＮＵの矩形状のケーシング６４内に設けるようにしている。
【００６２】
前記熱交換ユニットＮＵは、図１４〜１６に示すように、矩形状のケーシング６４に、給気用ファン４２、全熱交換器３０、排気用ファン６５などが備えられ、吸気ダクト接続口３８、排気ダクト接続口３９、給気ダクト接続口４０、及び、集気ダクト接続口４１が設けられている。
そして、熱交換ユニットＮＵは、矩形状のケーシング６４内で全熱交換器３０を一横側方または他横側方（図１４中右横側方または左横側方）に移動可能に備え、その矩形状のケーシング６４の短手方向において、対向する位置になるように、集気ダクト接続口用の開口４１ａが２つ設けられている。
そして、全熱交換器３０を移動させて、２つの集気ダクト接続口用の開口４１ａの一方には、中継用ダクト２２を接続し、他方には、その開口を遮蔽する遮蔽板６９を設けて、中継用ダクト２２を熱交換ユニットＮＵの異なる位置に接続可能に構成されている。
【００６３】
説明を加えると、図１４の（イ）に示すように、全熱交換器３０をケーシング６４の右横側方側に移動させ、その移動によりケーシング６４の左横側方側に形成される空間に、バイパス路４５及び流路切換手段ＲＫを配設して、中継用ダクト２２をケーシング６４の左横側方に接続するか、または、図１４の（ロ）に示すように、全熱交換器３０をケーシング６４の左横側方側に移動させ、その移動によりケーシング６４の右横側方側に形成される空間に、バイパス路４５及び流路切換手段ＲＫを配設して、中継用ダクト２２をケーシング６４の右横側方に接続するように構成されている。
【００６４】
そして、住宅内部空間からの内部空気は、集気ダクト接続口４１からケーシング６４内に供給されるが、図１７の（イ）に示すように、流路切換手段ＲＫが熱交換状態に切り換えられていると、その内部空気は、全熱交換器３０に供給されて熱交換されたのち、排気用ファン６５にて排気ダクト３６を通して排気される。
また、図１７の（ロ）に示すように、流路切換手段ＲＫがバイパス状態に切り換えられていると、内部空気は、バイパス路４５を通流して、排気用ファン６５にて排気ダクト３６を通して排気される。
ちなみに、図１７は、図１６におけるＡ−Ａ断面図を示すものである。
【００６５】
〔別実施形態〕
以下、別実施形態を列記する。
【００６６】
（１）上記第１〜第３実施形態では、前記通流状態判別手段として、前記給気温度センサ、排気温度センサ及びこれらの温度検出情報に基づいて前記内部空気の通流状態を前記熱交換状態とすべきか前記バイパス状態とすべきかを判別する構成としたが、このような構成に限らず、次のような構成としてもよい。
【００６７】
例えば、吸気される外気の温度が排気対象となる前記内部空気の温度よりも高くなると考えられるような期間（例えば、４月〜１１月の間）が予め設定されてメモリに記憶され、前記期間内において、上記したような浴室乾燥運転や衣類乾燥運転を行っているときには自動的に前記内部空気の通流状態を前記バイパス状態と判別し、上記以外の換気運転やシャッター板１７を閉じて浴室暖房運転等を行っているときは自動的に前記内部空気の通流状態を前記熱交換状態と判別するように構成し、前記期間以外の期間においては自動的に前記熱交換状態と判別するように構成するものでもよい。
【００６８】
又、前記期間が予め設定されてメモリに記憶される構成に代えて、前記メインリモコン等の人為操作手段を用いて、使用者の人為的な入力操作により任意の切り換え条件を指定して、その条件によって判別する構成としてもよい。
【００６９】
（２）上記第１〜第３実施形態では、流路切換手段ＲＫが、内部空気が全熱交換器３０に供給される熱交換状態と、バイパス路４５を通して排気ダクト３６に供給されるバイパス状態とに、内部空気の通流状態を切り換えるように構成されている例を示したが、流路切換手段ＲＫが、上述の熱交換状態、バイパス状態に加えて、内部空気の一部が全熱交換器３０に供給され、残りの一部がバイパス路４５を通して排気ダクト３６に供給される中間状態にも切り換え自在に構成して実施することも可能である。
この場合、浴室ＢＲを換気するために、サニタリー用の空調装置を換気運転させると、流路切換手段ＲＫにて内部空気の通流状態を中間状態に切り換えるようにして実施することが可能である。
【００７０】
（３）上記第１〜第３実施形態では、前記通流状態判別手段の判別結果に基づいて、前記流路切換手段を自動制御する構成としたが、このような構成に限らず、前記流路切換手段を、例えば、手動操作によって切り換え操作する構成としてもよい。その場合、前記通流状態判別手段の判別結果を目視で確認して切り換える構成、あるいは、前記サニタリー用の空調装置の使用状況に応じて適宜、切り換え操作するような構成としてもよい。
【００７１】
（４）上記第１実施形態では、前記バイパス路及び前記流路切換手段が、前記熱交換ユニットに一体的に設けられる構成としたが、このような構成に限らず、前記熱交換ユニットに対して分離して独立する状態で設けられるものであってもよい。例えば、熱交換ユニットの外方側からバイパス路が分岐形成され、その分岐部に切換遮蔽板を備える構成でもよい。
【００７２】
（５）上記第１実施形態では、前記バイパス路が設けられ、前記域内気としての内部空気が前記全熱交換器に供給される熱交換状態と、前記バイパス路を通して前記排気ダクトに供給されるバイパス状態とに前記内部空気の通流状態を切り換え自在に構成するものを例示したが、このようなバイパス路を設けることなく、前記内部空気が常に全熱交換器に供給される構成としてもよい。
【００７３】
（６）上記第１〜第３実施形態では、外部から導入して前記換気対象域に給気する外気と、前記換気対象域から外部に排気する域内気とを熱交換する熱交換器として、外気と域内気との間で全熱（顕熱及び潜熱）を熱交換する全熱交換器を例示したが、このような構成に限らず、顕熱のみを熱交換する熱交換器を用いる構成としてもよい。
【００７４】
（７）上記第３実施形態では、熱交換ユニットＮＵのケーシング６４内にひとつのバイパス路４５及び流路切換手段ＲＫを設けて、中継用ダクト２２を、ケーシング６４の右横側方に接続するか、または、ケーシング６４の左横側方に接続する例を示したが、例えば、図１８に示すように、バイパス路４５及び流路切換手段ＲＫを、ケーシング６４の右横側方と左横側方とに設けて、中継用ダクト２２を、ケーシング６４の右横側方に接続するか、または、ケーシング６４の左横側方に接続するように構成して実施することも可能である。
【００７５】
（８）上記第２及び第３実施形態では、熱交換ユニットＮＵが、それの異なる２つの位置に中継用ダクト２２を接続可能に構成されているが、中継用ダクト２２の接続位置は、２箇所に限られるものではなく、３箇所以上として実施することも可能である。
【図面の簡単な説明】
【図１】第１実施形態における換気装置の設置状態を示す住宅の平面図
【図２】空調装置の概略構成を示す側面図
【図３】熱交換ユニットを示す図
【図４】制御ブロック図
【図５】全熱交換器を示す図
【図６】操作機構を示す図
【図７】流路切換え状態を示す断面図
【図８】第２実施形態における換気装置の設置状態を示す住宅の平面図
【図９】第２実施形態における空調装置の概略構成を示す側面図
【図１０】第２実施形態における熱交換ユニットの平面図
【図１１】第２実施形態における熱交換ユニットの断面図
【図１２】第２実施形態における熱交換ユニットの側面図
【図１３】第２実施形態における流路切換え状態を示す断面図
【図１４】第３実施形態における熱交換ユニットの平面図
【図１５】第３実施形態における熱交換ユニットの断面図
【図１６】第３実施形態における熱交換ユニットの側面図
【図１７】第３実施形態における流路切換え状態を示す断面図
【図１８】別実施形態における熱交換ユニットの平面図
【図１９】従来の換気装置の設置状態を示す住宅の平面図
【符号の説明】
２０，２２        集気用ダクト
３０              熱交換器
３２              遮蔽体
３３              吸気口
３４              吸気ダクト
３５              排気口
３６              排気ダクト
３７，４４        給気ダクト
３８              吸気ダクト接続口
３９              排気ダクト接続口
４０              給気ダクト接続口
４１              集気ダクト接続口
４５              バイパス路
ＢＲ，ＤＲ，ＴＲ  サニタリー用空間
ＢＵ              バイパスユニット
ＬＲ              居住用空間
Ｍ１              連通室
ＮＵ              熱交換ユニット
ＲＫ              流路切換手段
ＴＨ              通流状態判別手段
Ｓ                制御手段
【図１】
0004796234.tif 000002
【図２】
0004796234.tif 000003
【図３】
0004796234.tif 000004
【図４】
0004796234.tif 000005
【図５】
0004796234.tif 000006
【図６】
0004796234.tif 000007
【図７】
0004796234.tif 000008
【図８】
0004796234.tif 000009
【図９】
0004796234.tif 000010
【図１０】
0004796234.tif 000011
【図１１】
0004796234.tif 000012
【図１２】
0004796234.tif 000013
【図１３】
0004796234.tif 000014
【図１４】
0004796234.tif 000015
【図１５】
0004796234.tif 000016
【図１６】
0004796234.tif 000017
【図１７】
0004796234.tif 000018
【図１８】
0004796234.tif 000019
【図１９】
0004796234.tif 000020